(57)【要約】【課題】運転者の注意を必要とする場所を走行しているとき、運転者は適切な状況判断を行うことができる車内騒音制御装置を提供する。【解決手段】現在地検出装置１４によって車両の現在地を検出する。ＤＶＤ−ＲＯＭ１８に記憶されている地図データに基づいて車両進行方向の道路を特定する。特定した道路において、交差点、または道路のカーブが存在するかを判定する。存在しない場合はスピーカ１６に騒音抑制信号を出力し、車内の騒音を低減する処理を行う。存在する場合はスピーカ１６への騒音抑制信号の出力を停止し、車内の騒音を低減する処理を行わない。【選択図】図１
2008184129.tif 000002
【特許請求の範囲】
【請求項１】
聴覚により運転者が周囲の情報を取得することが好ましい場所に車両が接近または到達していることを検出する検出手段と、
前記車両の車内騒音を抑制する車内騒音抑制手段と、
聴覚により運転者が周囲の情報を取得することが好ましい場所に前記車両が接近または到達していることを前記検出手段が検出すると、前記車内騒音抑制手段による車内騒音抑制処理を停止、または前記車内騒音抑制処理の程度を低減する制御手段とを備えることを特徴とする車内騒音制御装置。
【請求項２】
請求項１に記載の車内騒音制御装置において、
前記車両の現在地を検出する現在地検出手段と、
地図データを記憶する地図データ記憶手段とを備え、
前記検出手段は、前記現在地検出手段によって検出した車両の現在地、および前記地図データ記憶手段に記憶している地図データに基づいて、前記聴覚により運転者が周囲の情報を取得することが好ましい場所に前記車両が接近または到達していることを検出することを特徴とする車内騒音制御装置。
【請求項３】
請求項１に記載の車内騒音制御装置において、
前記検出手段は、前記車両に設けられたナビゲーション装置を用いて前記聴覚により運転者が周囲の情報を取得することが好ましい場所に前記車両が接近または到達していることを検出することを特徴とする車載表示装置。
【請求項４】
請求項３に記載の車内騒音制御装置において、
前記聴覚により運転者が周囲の情報を取得することが好ましい場所は、前記ナビゲーション装置が経路探索した推奨経路の出発地、経由地または目的地、および前記ナビゲーション装置に設定された登録地点またはａｖｏｉｄエリアの少なくともいずれかであり、
前記車内騒音抑制手段は、前記ナビゲーション装置が経路探索した推奨経路の出発地、経由地または目的地、および前記ナビゲーション装置に設定された登録地点またはａｖｏｉｄエリアの少なくともいずれかの走行を前記検出手段が検出すると、前記車内騒音抑制処理を停止、または前記車内騒音抑制処理の程度を低減することを特徴とする車内騒音制御装置。
【請求項５】
請求項１乃至３のいずれか１項に記載の車内騒音制御装置において、
前記聴覚により運転者が周囲の情報を取得することが好ましい場所は、交差点または道路のカーブであり、
前記車内騒音抑制手段は、前記検出手段が前記車両の交差点または道路のカーブの接近を検出すると、前記車内騒音抑制処理を停止、または前記車内騒音抑制処理の程度を低減することを特徴とする車内騒音制御装置。
【請求項６】
請求項２に記載の車載表示装置において、
前記聴覚により運転者が周囲の情報を取得することが好ましい場所は、前記地図データに格納されている注意地点であり、
前記車内騒音抑制手段は、前記検出手段が前記車両の前記注意地点の走行を検出すると、前記車内騒音抑制処理を停止、または前記車内騒音抑制処理の程度を低減することを特徴とする車内騒音制御装置。
【請求項７】
請求項１乃至３のいずれか１項に記載の車内騒音制御装置において、
前記聴覚により運転者が周囲の情報を取得することが好ましい場所は、一般道路であり、
前記検出手段は、前記車両の都市間高速道路走行および一般道路走行を検出し、
前記車内騒音抑制手段は、前記検出手段が前記車両の都市間高速道路走行を検出すると、前記車内騒音抑制処理を行い、前記検出手段が前記車両の一般道路走行を検出すると、前記車内騒音抑制処理を停止、または前記車内騒音抑制処理の程度を低減することを特徴とする車内騒音制御装置。
【請求項８】
請求項１または２に記載の車内騒音制御装置において、
道路の渋滞情報、道路の交通障害情報または道路の交通規制情報を受信する交通情報受信手段を備え、
前記聴覚により運転者が周囲の情報を取得することが好ましい場所は、渋滞している道路、交通障害が発生している道路または交通規制が発生している道路であり、
前記車内騒音抑制手段は、前記車両が渋滞している道路、交通障害が発生している道路または交通規制が発生している道路を走行していることを前記検出手段が検出すると、前記車内騒音抑制処理を停止、または前記車内騒音抑制処理の程度を低減することを特徴とする車内騒音制御装置。
【請求項９】
請求項３に記載の車内騒音制御装置において、
前記ナビゲーション装置より、道路の渋滞情報、道路の交通障害情報または道路の交通規制情報を取得する交通情報取得手段を備え、
前記聴覚により運転者が周囲の情報を取得することが好ましい場所は、渋滞している道路、交通障害が発生している道路または交通規制が発生している道路であり、
前記車内騒音抑制手段は、前記車両が渋滞している道路、交通障害が発生している道路または交通規制が発生している道路を走行していることを前記検出手段が検出すると、前記車内騒音抑制処理を停止、または前記車内騒音抑制処理の程度を低減することを特徴とする車内騒音制御装置。
【請求項１０】
請求項１乃至３のいずれか１項に記載の車内騒音制御装置において、
前記聴覚により運転者が周囲の情報を取得することが好ましい場所は、平日の朝、または夕方の通勤時間帯の道路であり、
前記車内騒音抑制手段は、前記車両が平日の朝および夕方のいずれかの通勤時間帯の道路を走行していることを前記検出手段が検出すると、前記車内騒音抑制処理を停止、または前記車内騒音抑制処理の程度を低減することを特徴とする車内騒音制御装置。
【請求項１１】
他車両から送信された情報を受信する車々間通信手段と、
自車両の車内騒音を抑制する車内騒音抑制手段と、
前記車々間通信手段によって緊急車両接近の情報を受信すると前記車内騒音抑制処理を停止、または前記車内騒音抑制処理の程度を低減することを特徴とする車内騒音制御装置。
【発明の詳細な説明】
【技術分野】
【０００１】
本発明は、騒音の逆位相の音波を発生することによって車内の騒音を低減する車内騒音制御装置に関する。
【背景技術】
【０００２】
車内騒音をマイクで検出し、マイクが検出する騒音波形と逆位相の騒音制御用波形を合成して車内のスピーカから出力することにより騒音を打ち消す車内騒音抑制システムが従来技術として知られている（特許文献１）。
【特許文献１】特開２００６−２３５８８号公報
【発明の開示】
【発明が解決しようとする課題】
【０００３】
交差点など、運転者の注意を必要とする場所においては、周囲の状況判断を行うために視覚により周囲の情報を取得するほかに、聴覚により周囲の情報も取得することが好ましい。特許文献１に記載されているような従来の車内騒音抑制システムでは、そのような場所でも車内の騒音が抑制され、聴覚による情報を取得できないという問題点がある。
【課題を解決するための手段】
【０００４】
（１）請求項１の発明の車内騒音制御装置は、聴覚により運転者が周囲の情報を取得することが好ましい場所に車両が接近または到達していることを検出する検出手段と、車両の車内騒音を抑制する車内騒音抑制手段と、聴覚により運転者が周囲の情報を取得することが好ましい場所に車両が接近または到達していることを検出手段が検出すると、車内騒音抑制手段による車内騒音抑制処理を停止、または車内騒音抑制処理の程度を低減する制御手段とを備えることを特徴とする。
（２）請求項２の発明は、請求項１に記載の車内騒音制御装置において、車両の現在地を検出する現在地検出手段と、地図データを記憶する地図データ記憶手段とを備え、検出手段は、現在地検出手段によって検出した車両の現在地、および地図データ記憶手段に記憶している地図データに基づいて、聴覚により運転者が周囲の情報を取得することが好ましい場所に車両が接近または到達していることを検出することを特徴とする。
（３）請求項３の発明は、請求項１に記載の車内騒音制御装置において、検出手段は、車両に設けられたナビゲーション装置を用いて聴覚により運転者が周囲の情報を取得することが好ましい場所に車両が接近または到達していることを検出することを特徴とする。
（４）請求項４の発明は、請求項３に記載の車内騒音制御装置において、聴覚により運転者が周囲の情報を取得することが好ましい場所は、ナビゲーション装置が経路探索した推奨経路の出発地、経由地または目的地、およびナビゲーション装置に設定された登録地点またはａｖｏｉｄエリアの少なくともいずれかであり、車内騒音抑制手段は、ナビゲーション装置が経路探索した推奨経路の出発地、経由地または目的地、およびナビゲーション装置に設定された登録地点またはａｖｏｉｄエリアの少なくともいずれかの走行を検出手段が検出すると、車内騒音抑制処理を停止、または車内騒音抑制処理の程度を低減することを特徴とする。
（５）請求項５の発明は、請求項１乃至３のいずれか１項に記載の車内騒音制御装置において、聴覚により運転者が周囲の情報を取得することが好ましい場所は、交差点または道路のカーブであり、車内騒音抑制手段は、検出手段が車両の交差点または道路のカーブの接近を検出すると、車内騒音抑制処理を停止、または車内騒音抑制処理の程度を低減することを特徴とする。
（６）請求項６の発明は、請求項２に記載の車載表示装置において、聴覚により運転者が周囲の情報を取得することが好ましい場所は、地図データに格納されている注意地点であり、車内騒音抑制手段は、検出手段が車両の注意地点の走行を検出すると、車内騒音抑制処理を停止、または車内騒音抑制処理の程度を低減することを特徴とする。
（７）請求項７の発明は、請求項１乃至３のいずれか１項に記載の車内騒音制御装置において、聴覚により運転者が周囲の情報を取得することが好ましい場所は、一般道路であり、検出手段は、車両の都市間高速道路走行および一般道路走行を検出し、車内騒音抑制手段は、検出手段が車両の都市間高速道路走行を検出すると、車内騒音抑制処理を行い、検出手段が車両の一般道路走行を検出すると、車内騒音抑制処理を停止、または車内騒音抑制処理の程度を低減することを特徴とする。
（８）請求項８の発明は、請求項１または２に記載の車内騒音制御装置において、道路の渋滞情報、道路の交通障害情報または道路の交通規制情報を受信する交通情報受信手段を備え、聴覚により運転者が周囲の情報を取得することが好ましい場所は、渋滞している道路、交通障害が発生している道路または交通規制が発生している道路であり、車内騒音抑制手段は、車両が渋滞している道路、交通障害が発生している道路または交通規制が発生している道路を走行していることを検出手段が検出すると、車内騒音抑制処理を停止、または車内騒音抑制処理の程度を低減することを特徴とする。
（９）請求項９の発明は、請求項３に記載の車内騒音制御装置において、ナビゲーション装置より、道路の渋滞情報、道路の交通障害情報または道路の交通規制情報を取得する交通情報取得手段を備え、聴覚により運転者が周囲の情報を取得することが好ましい場所は、渋滞している道路、交通障害が発生している道路または交通規制が発生している道路であり、車内騒音抑制手段は、車両が渋滞している道路、交通障害が発生している道路または交通規制が発生している道路を走行していることを検出手段が検出すると、車内騒音抑制処理を停止、または車内騒音抑制処理の程度を低減することを特徴とする。
（１０）請求項１０の発明は、請求項１乃至３のいずれか１項に記載の車内騒音制御装置において、聴覚により運転者が周囲の情報を取得することが好ましい場所は、平日の朝、または夕方の通勤時間帯の道路であり、車内騒音抑制手段は、車両が平日の朝および夕方のいずれかの通勤時間帯の道路を走行していることを検出手段が検出すると、車内騒音抑制処理を停止、または車内騒音抑制処理の程度を低減することを特徴とする。
（１１）請求項１１の発明の車内騒音制御装置は、他車両から送信された情報を受信する車々間通信手段と、自車両の車内騒音を抑制する車内騒音抑制手段と、車々間通信手段によって緊急車両接近の情報を受信すると車内騒音抑制処理を停止、または車内騒音抑制処理の程度を低減することを特徴とする。
【発明の効果】
【０００５】
本発明によれば、車両が、聴覚による周囲の情報を取得することが好ましい場所に接近または到達すると、車内騒音抑制処理を停止、または車内騒音抑制処理の程度を低減する。したがって、注意を要する場所を走行しているとき、運転者は適切な状況判断を行うことができる。
【発明を実施するための最良の形態】
【０００６】
−第１の実施の形態−
本発明の第１の実施形態による車内騒音制御装置の構成を図１に示す。図１の車内騒音制御装置１は、車内の騒音をマイク１５で集音し、集音した騒音の位相の逆位相の音波をスピーカ１６より出力する。これにより、車室内の騒音を低減する。車内騒音制御装置１は、制御回路１１、ＲＯＭ１２、ＲＡＭ１３、現在地検出装置１４、マイク１５、スピーカ１６およびディスクドライブ１７を有している。ディスクドライブ１７には、地図データが記録されたＤＶＤ−ＲＯＭ１８が装填される。
【０００７】
制御回路１１は、マイクロプロセッサ及びその周辺回路からなり、ＲＡＭ１３を作業エリアとしてＲＯＭ１２に格納された制御プログラムを実行して各種の制御を行う。たとえば、制御回路１１は、マイク１５が集音した騒音の位相と逆位相となる波形の音波（騒音抑制信号）を生成する。そして、騒音抑制信号を増幅してスピーカ１６に出力する。また、現在地検出装置１４が検出した車両の現在地と、ディスクドライブ１７が読み出した地図データとに基づいて、車両の地図上の走行地点を検出する。
【０００８】
現在地検出装置１４は車両の現在地を検出する装置であり、たとえば、車両の進行方向を検出する振動ジャイロ１４ａ、車速を検出する車速センサ１４ｂ、ＧＰＳ（ Global Positioning System ）衛星からのＧＰＳ信号を検出するＧＰＳセンサ１４ｃなどから成る。振動ジャイロ１４ａは、車両の進行方向を検出する。車速センサ１４ｂは、車速を検出する。ＧＰＳセンサ１４ｃはＧＰＳ衛星からのＧＰＳ信号を検出する。
【０００９】
マイク１５は座席のヘッドレストなどに設けられ、車内の騒音を集音する。マイク１５が集音した騒音の音声信号は制御回路１１へ出力される。スピーカ１６は、制御回路１１から出力された騒音抑制信号を出力する。騒音抑制信号は車内の騒音と逆位相の音波であり、スピーカ１６から騒音抑制信号が出力されると、車内の騒音は騒音抑制信号に打ち消され、車内の騒音は低減する。
【００１０】
ディスクドライブ１７はＤＶＤ−ＲＯＭ１８より地図データを読み出す。地図データには、道路のリンク情報およびノード情報が含まれている。制御回路１１は、道路のリンク情報およびノード情報に基づいてマップマッチングを行い、車両の地図上の走行地点を的確に検出することができる。なお、ＤＶＤ−ＲＯＭ１８以外の他の記録メディア、たとえばＣＤ−ＲＯＭやハードディスクなどより地図データを読み出してもよい。
【００１１】
図２および図３を参照して、本発明の実施形態における車内騒音制御装置１の騒音制御処理について説明する。図２は、車両の周辺地図２０を示す図である。図２に示すように、車両２１は交差点２２に接近している。交差点２２では、左右の分岐路から車両が進入したり、歩行者が通行したりするので、運転者は走行に注意を払う必要がある。したがって、周囲の状況判断を行うために、運転者に車両周囲の音声が聞こえることが好ましい。このような場合、車内騒音制御装置１は、スピーカ１６からの騒音抑制信号の出力を停止し、運転者に周囲の周囲音が聞こえるようにする。
【００１２】
図３は、他の周辺地図２０を示す図である。図３に示すように、車両２１は道路のカーブ３１に接近している。道路のカーブ３１では、前方を走行している車両や、対向車線を走行している車両が視認できない場合がある。また、路肩を歩行している歩行者も視認できない場合がある。したがって、道路のカーブ３１では、運転者は走行に注意を払う必要があり、周囲の状況判断を行うために、運転者に車両周囲の音声が聞こえることが好ましい。このような場合も、車内騒音制御装置１は、スピーカ１６からの騒音抑制信号の出力を停止し、運転者に周囲の周囲音が聞こえるようにする。
【００１３】
次に、本発明の実施形態の車内騒音制御装置１の騒音制御処理について、図４および図５のフローチャートを参照して説明する。図４および図５の処理は、不図示の騒音制御スイッチをオンするとスタートするプログラムにより、制御回路１１において実行される。
【００１４】
図４を参照して、車内騒音の低騒音処理を説明する。
ステップＳ４０１では、現在地検出装置１４によって車両の現在地を検出する。ステップＳ４０２では、ＤＶＤ−ＲＯＭ１８に記憶されている地図データに基づいて車両進行方向の道路を特定する。
【００１５】
ステップＳ４０３では、特定した道路において、車両の現在地から所定距離内に交差点が存在するか否かを判定する。交差点が存在する場合はステップＳ４０３が肯定判定され、ステップＳ４０７へ進む。交差点が存在しない場合はステップＳ４０３が否定判定され、ステップＳ４０４へ進む。ステップＳ４０４では、ステップＳ４０２で特定した車両進行方向の道路の形状を検出する。ＤＶＤ−ＲＯＭ１８に記憶されている道路のノード情報より車両進行方向の道路におけるノードの配置の情報を取得して、道路の形状を検出する。
【００１６】
ステップＳ４０５では、ノードを結んだ曲線の曲率半径を算出し、車両進行方向に所定の曲率半径以下のカーブが存在するかを判定する。存在する場合はステップＳ４０５が肯定判定され、ステップＳ４０７へ進む。存在しない場合はステップＳ４０５が否定判定され、ステップＳ４０６へ進む。ステップＳ４０６では、スピーカ１６から騒音抑制信号を出力し、車内の騒音を低減する。ステップＳ４０７では、スピーカ１６からの騒音抑制信号の出力を停止し、車内の騒音を低減しない。
【００１７】
次に、図５を参照してステップＳ４０６で出力する騒音抑制処理について説明する。
ステップＳ５０１では、マイク１５によって車内の騒音を集音する。ステップＳ５０２では、騒音の波形の逆位相の波形の騒音抑制信号を生成する。ステップＳ５０３では、図４のステップＳ４０５の判定に基づいて騒音抑制信号の出力を停止するか否かの判断をする。停止する場合はステップＳ５０３が肯定判定され、ステップＳ５０５へ進む。停止しない場合はステップＳ５０３が否定判定され、ステップＳ５０４へ進む。ステップＳ５０４では、騒音抑制信号を出力し、ステップＳ５０１に戻る。ステップＳ５０５では、騒音抑制信号の出力を停止し、ステップＳ５０６へ進む。ステップＳ５０６では、図４のステップＳ４０５の判定に基づいて騒音抑制信号の出力を再開するか否かを判定する。再開する場合はステップＳ５０６が肯定判定され、ステップＳ５０１に戻る。再開しない場合はステップＳ５０６を繰り返す。
【００１８】
以上の実施の形態による車内騒音制御装置１は次のような作用効果を奏する。
（１）聴覚による周囲の情報を取得することが好ましい交差点や道路のカーブに車両が接近すると、車内の騒音を低減する処理を停止する。したがって、運転者の注意を必要とする場所を走行しているとき、運転者は適切な状況判断を行うことができる。
【００１９】
（２）現在地検出装置１４によって検出した車両の現在地と、ＤＶＤ−ＲＯＭ１８に記憶されている地図データに基づいて、聴覚による周囲の情報を取得することが好ましい交差点や道路のカーブの接近を、的確に検出することができる。
【００２０】
−第２の実施の形態−
第１の実施の形態では、現在地検出装置１４によって検出した車両の現在地およびディスクドライブ１７でＤＶＤ−ＲＯＭ１８から読み出した地図データに基づいて車両の地図上の位置を検出した。第２の実施の形態では、図６に示すように、車内騒音制御装置１Ａをナビゲーション装置７と接続し、ナビゲーション装置７から車両の地図上の位置の情報を取得する。図７に示すように、車内騒音制御装置１Ａに現在地検出装置１４やディスクドライブ１７、ＤＶＤ−ＲＯＭ１８を備える必要はなく、車内騒音制御装置１Ａの小型化や低コスト化を図ることができる。
【００２１】
図７を参照して第２の実施の形態におけるナビゲーション装置７について説明する。ナビゲーション装置７は、制御回路７１、ＲＯＭ７２、ＲＡＭ７０３、現在地検出装置７４、画像メモリ７５、表示モニタ７６、スピーカ７７、入力装置７８、ＶＩＣＳ情報受信部７９およびディスクドライブ７１０を有している。ディスクドライブ７１０には、地図データが記憶されたＤＶＤ−ＲＯＭ７１１が装填されている。
【００２２】
制御回路７１は、マイクロプロセッサ及びその周辺回路からなり、ＲＡＭ７３を作業エリアとしてＲＯＭ７２に格納された制御プログラムを実行して各種の制御を行う。この制御回路７１がＤＶＤ−ＲＯＭ７１１に記憶された地図データに基づいて所定の経路探索処理を行うと、その処理結果が推奨経路として表示モニタ７６に表示される。
【００２３】
現在地検出装置７４は車両の現在地を検出する装置である。現在地検出装置７４は、車内騒音制御装置１の現在地検出装置１４と同様に振動ジャイロ７４ａ、車速センサ７４ｂ、ＧＰＳセンサ７４ｃなどからなる。ナビゲーション装置７は、この現在地検出装置７４により検出された車両の現在地に基づいて、地図の表示範囲や経路探索開始点などを決定するとともに、地図上にその現在地を表示する。
【００２４】
画像メモリ７５は、表示モニタ７６に表示するための画像データを格納する。この画像データは道路地図描画用データや各種の図形データからなり、それらはＤＶＤ−ＲＯＭ７１１に記憶された地図データに基づいて、適宜生成される。ナビゲーション装置７は、このようにして生成された画像データを用いることによって地図表示などを行うことができる。
【００２５】
ディスクドライブ７１０は、ＤＶＤ−ＲＯＭ７１１から地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで複数の縮尺の地図データを有し、運転者の要求にしたがって、表示地図の縮尺を変更することができる。
【００２６】
表示モニタ７６は、地図データなどの各種情報に基づいて、自車位置付近の道路地図などの各種情報を画面表示として運転者に提供する。また、様々な処理が定義されたメニュー項目をリストとして表示する。スピーカ７７は、各種入力操作を運転者に指示したり、経路誘導したりするための音声を出力する。入力装置７８は、運転者が各種コマンドを設定するための入力スイッチを有し、操作パネルやリモコンなどによって実現される。運転者は、表示モニタ７６の表示画面の指示やスピーカ７７からの音声指示にしたがって入力装置７８を手動で操作することにより、経由地や目的地を設定する。
【００２７】
経由地や目的地が運転者により設定されると、ナビゲーション装置７は現在地検出装置７４により検出された現在地を出発地とし、経由地を通過して目的地に至る経路の経路演算を所定のアルゴリズムに基づいて行う。このようにして求められた経路（以下、推奨経路という）は、表示形態、たとえば表示色などを変えることによって、ほかの道路とは区別して画面表示される。これにより、運転者は地図上の推奨経路を画面上で認識することができる。また、ナビゲーション装置７は、推奨経路に従って車両が走行できるように、運転者に対して画面や音声などによる進行方向指示を行い、車両を経路誘導する。
【００２８】
ＶＩＣＳ情報受信部７９は、図示しないＶＩＣＳ（ Vehicle Information and Communication System ）情報センタから供給される渋滞情報などのＶＩＣＳ情報を受信し、制御回路７１に出力する。このＶＩＣＳ情報は、主に高速道路上に設置されている電波ビーコンや主に一般道路上に設置されている光ビーコン、またはＦＭ多重放送によって送信される。ナビゲーション装置７は、これらによって送信されたＶＩＣＳ情報をＶＩＣＳ情報受信部７９により受信する。
【００２９】
ナビゲーション装置７は経路探索した推奨経路の出発地、経由地、または目的地を走行している場合、車内騒音抑制処理を行わないようにする。また、目的地や経由地の登録地点やａｖｏｉｄエリア（経路探索で通過しないように設定した領域）を走行している場合、車内騒音抑制処理を行わないようにする。
【００３０】
上述した第２の実施の形態の車内騒音制御装置１Ａの低騒音処理について、図８のフローチャートを参照して説明する。本発明の第１の実施形態である図４のフローチャートと共通するステップは共通の符号を付し、図４のフローチャートと異なる部分を主に説明する。ステップＳ８０１では、ナビゲーション装置７より車両の位置情報を取得する。ステップＳ８２では、ナビゲーション装置７より、推奨経路の出発地、経由地、目的地の情報を取得する。ステップＳ８３では、ナビゲーション装置７より登録地、ａｖｏｉｄエリアの情報を取得する。ステップＳ８０４では、車両は推奨経路の出発地、経由地、目的地を走行しているか、または車両は登録地点、ａｖｏｉｄエリアを走行しているか否かを判定する。ステップＳ８０４が肯定判定された場合はステップＳ４０７へ進み、騒音抑制処理を行う。ステップＳ８０４が否定判定された場合はステップＳ４０６へ進み、騒音抑制処理を中止する。
【００３１】
ナビゲーション装置７はＶＩＣＳ情報受信部７９を有するので、ナビゲーション装置７を使用して、車両が、渋滞している道路、交通障害が発生している道路、または交通規制が発生している道路を走行していることを検出することができる。第２の実施の形態のナビゲーション装置７では、渋滞している道路、交通障害が発生している道路、または交通規制が発生している道路の走行を検出した場合、車内騒音抑制処理を行わないようする。
【００３２】
以上説明した第１および第２の実施の形態の車内騒音制御装置１，１Ａを次のように変形することができる。
（１）交差点や道路のカーブに接近すると車内騒音抑制処理を停止したが、運転者の注意を必要とする場所であれば、交差点や道路のカーブに限定されない。たとえば、踏み切りに接近すると車内騒音抑制処理を行わないようにしてもよい。また、運転者の注意を必要とする場所に到達した場合に車内騒音抑制処理を停止するようにしてもよい。
【００３３】
（２）図９（ａ）に示すように、車両２１が都市間高速道路９１などの高速道路を走行中は、車内騒音抑制処理を行い、図９（ｂ）に示すように、車両２１が一般道路９２を走行中は車内騒音抑制処理を行わないようにしてもよい。一般道路９２では、交差点が多く、また交通量も多い。さらに歩行者も通行していることから、運転者は注意をして車両を運転しなくてはならない。このような状況下において、聴覚による周囲の情報を取得することが好ましい。
【００３４】
上記の場合の車内騒音制御装置１の低騒音処理（第１の変形例）について、図１０のフローチャートを参照して説明する。本発明の第１の実施形態である図４のフローチャートと共通するステップは共通の符号を付し、図４のフローチャートと異なる部分を主に説明する。ステップＳ４０１で車両の現在地を検出した後、ステップＳ１００１では、ＤＶＤ−ＲＯＭ１８に記憶されている地図データに基づいて、車両は都市間高速道路を走行しているかを判定する。車両が都市間高速道路を走行している場合はステップＳ１００１が肯定判定され、ステップＳ４０６へ進み、上述したとおりの騒音抑制処理を行う。車両が都市間高速道路を走行していない場合はステップＳ１００１が否定判定され、ステップＳ４０７へ進む。ステップＳ４０７では、上述した騒音抑制処理を中止する。
【００３５】
一般道路９２の中でも細街路は特に見通しが悪いため、車両が細街路を走行しているとき、車内騒音抑制処理を行わないようにしてもよい。
【００３６】
（３）図１１に示すように、車両２１が地図データに格納されている注意地点１０１を走行中は車内騒音抑制処理を行わないようにしてもよい。ここで、注意地点１０１とは、児童の通学路など運転者が車両走行に注意を払わなくてはならない場所を示す。運転者が実際に走行して、運転に注意を要する場所であると判断した場所を手動で、運転者自らが注意地点として地図データに格納できるようにしてもよい。このような場所においても、運転中は、聴覚による周囲の情報を取得することが好ましい。
【００３７】
上記の場合の車内騒音制御装置１の低騒音処理（第２の変形例）について、図１２のフローチャートを参照して説明する。本発明の第１の実施形態である図４のフローチャートと共通するステップは共通の符号を付し、図４のフローチャートと異なる部分を主に説明する。ステップＳ４０１で車両の現在地を検出した後、ステップＳ１２０１では、ＤＶＤ−ＲＯＭ１８に記憶されている地図データに基づいて、車両は注意地点を走行しているかを判定する。車両が注意地点を走行している場合はステップＳ１２０１が肯定判定され、ステップＳ４０７へ進む。車両が注意地点を走行していない場合はステップＳ１２０１が否定判定され、ステップＳ４０６へ進む。
【００３８】
（４）図１３に示すように、渋滞している道路を車両２１が走行しているとき車内騒音抑制処理を行わないようにしてもよい。ここで、矢印１３１ａ〜１３１ｄは道路の渋滞を示す。渋滞している道路では、前後の車両の動きに合わせて走行しなくてはならないので、運転者は注意をして車両を運転しなくてはならない。このような状況下において、聴覚による周囲の情報を取得することが好ましい。また、渋滞している道路のほかに、事故や故障車の発生などの交通障害が発生している道路、または通行止めや車線規制などが行われている交通規制が発生している道路についても車内騒音抑制処理を行わないようにしてもよい。以下、図１４および図１５を参照して第３の変形例である車内騒音制御装置１Ｂについて説明する。
【００３９】
車内騒音制御装置１Ｂは、道路の渋滞情報や交通障害情報、交通規制情報を取得するため、図１４に示すように、ＶＩＣＳ情報受信部１９を備える。ＶＩＣＳ情報受信部１９は、図示しないＶＩＣＳ情報センタから供給される渋滞情報などのＶＩＣＳ情報を受信し、制御回路１１に出力する。
【００４０】
上記の場合の車内騒音制御装置１Ｂの低騒音処理（第３の変形例）について、図１５のフローチャートを参照して説明する。本発明の第１の実施形態である図４のフローチャートと共通するステップは共通の符号を付し、図４のフローチャートと異なる部分を主に説明する。ステップＳ４０１で車両の現在地を検出した後、ステップＳ１５０１では、ＶＩＣＳ情報受信部１９によってＶＩＣＳ情報を受信する。ステップＳ１５０２では、渋滞が発生している区間、交通障害が発生している区間、または交通規制が発生している区間を車両が走行しているかを判定する。ステップＳ１５０２が肯定判定された場合はステップＳ４０７へ進む。ステップＳ１５０２が否定判定された場合はステップＳ４０６へ進む。
【００４１】
（５）平日の朝、または夕方の通勤時間帯では、車内騒音抑制処理を行わないようにしてもよい。平日の朝、または夕方の通勤時間帯では、道路の交通量が多いため、運転者は注意をして車両を運転しなくてはならない。このような状況下において、聴覚による周囲の情報を取得することが好ましい。
【００４２】
上記の場合の車内騒音制御装置１の低騒音処理（第４の変形例）について、図１６のフローチャートを参照して説明する。本発明の第１の実施形態である図４のフローチャートと共通するステップは共通の符号を付し、図４のフローチャートと異なる部分を主に説明する。ステップＳ１６０１では、制御回路１１に内蔵されている不図示の時計によって現在の時刻を検出する。ステップＳ１６０２では、現在の時刻が平日の朝または夕方の通勤時間帯（たとえば、ＡＭ７：００〜９：００、ＰＭ５：００〜７：００）であるかを判定する。ステップＳ１６０２が肯定判定された場合はステップＳ４０７へ進む。ステップＳ１６０２が否定判定された場合はステップＳ４０６へ進む。
【００４３】
（６）マイク１５によって集音した音声から救急車や消防車などの緊急車両のサイレン音を検出した場合、車内騒音抑制処理を行わないようにしてもよい。マイク１５によって集音した音声から緊急車両のサイレン音を検出した場合、緊急車両が接近する可能性がある。このような状況下において、運転者は緊急車両のサイレン音を聞き、緊急車両の接近に注意して車両を運転しなくてはならない。緊急車両のサイレン音は、特定の周波数の音声の組み合わせで構成されているため、マイク１５によって集音した騒音の周波数特性を検出することによって、騒音の中の緊急車両のサイレン音を検出することができる。
【００４４】
上記の場合の車内騒音制御装置１の低騒音処理（第５の変形例）について、図１７のフローチャートを参照して説明する。本発明の第１の実施形態である図４のフローチャートと共通するステップは共通の符号を付し、図４のフローチャートと異なる部分を主に説明する。車内騒音制御装置１は、緊急車両のサイレン音の周波数特性を予め記憶しているものとして説明する。ステップＳ１７０１では、マイク１５が集音した騒音の周波数特性と、予め記憶している緊急車両のサイレン音の周波数特性を比較する。ステップＳ１７０２では、マイク１５が集音した騒音の周波数特性の中に緊急車両のサイレン音の周波数特性が含まれているかを判定する。ステップＳ１７０２が肯定判定された場合はステップＳ４０７へ進む。ステップＳ１７０２が否定判定された場合はステップＳ４０６へ進む。
【００４５】
（７）車両が車々間通信装置を備えている場合、車々間通信によって緊急車両の接近の情報を受信した場合、車内騒音抑制処理を行わないようにしてもよい。この場合の車内騒音制御装置１の低騒音処理（第６の変形例）について、図１８のフローチャートを参照して説明する。本発明の第１の実施形態である図４のフローチャートと共通するステップは共通の符号を付し、図４のフローチャートと異なる部分を主に説明する。ステップＳ１８０１では、車々間通信で他の車両から情報を受信する。ステップＳ１８０２では、車々間通信で受信した情報に緊急車両接近の情報が含まれているかを判定する。ステップＳ１８０２が肯定判定された場合はステップＳ４０７へ進む。ステップＳ１８０２が否定判定された場合はステップＳ４０６へ進む。
【００４６】
（８）聴覚による周囲の情報を取得することが好ましい場所に車両が接近または到達すると、車内騒音抑制処理を行わない代わりに、車内騒音抑制信号の音量を下げることによって車内騒音の抑制効果を弱めるようにしてもよい。これによっても、運転者に車両周辺の音声が聞こえるようになり、運転者は適切な状況判断を行うことができる。
【００４７】
以上の説明はあくまで一例であり、発明は、上記の実施形態に何ら限定されるものではない。
【００４８】
特許請求の範囲の要素と実施の形態との対応関係を説明する。
本発明の検出手段は制御回路１１、現在地検出装置１４、ディスクドライブ１７およびＤＶＤ−ＲＯＭ１８に対応する。車内騒音抑制手段は制御回路１１、マイク１５およびスピーカ１６に対応し、制御手段は制御回路１１に対応する。現在地検出手段は現在地検出装置１４に対応し、地図データ記憶手段はＤＶＤ−ＲＯＭ１８に対応する。交通情報受信手段はＶＩＣＳ情報受信部１９に対応し、交通情報取得手段は制御回路１１に対応する。車々間通信手段は不図示の車々間通信装置に対応する。なお、以上の説明はあくまで一例であり、発明を解釈する上で、上記の実施形態の構成要素と本発明の構成要素との対応関係になんら限定されるものではない。
【図面の簡単な説明】
【００４９】
【図１】本発明の第１の実施形態の車内騒音制御装置の構成を示すブロック図である。
【図２】車両の交差点接近を説明するための図である。
【図３】車両の道路のカーブ接近を説明するための図である。
【図４】本発明の第１の実施形態の車内騒音制御装置の低騒音処理を説明するためのフローチャートである。
【図５】車内騒音制御装置の騒音抑制処理を説明するためのフローチャートである。
【図６】ナビゲーション装置と接続した車内騒音制御装置を説明するための図である。
【図７】ナビゲーション装置の構成を示すブロック図である。
【図８】本発明の第２の実施形態の車内騒音制御装置の低騒音処理を説明するためのフローチャートである。
【図９】図９（ａ）は車両の都市間高速道路走行を説明するための図であり、図５（ｂ）は車両の一般道路走行を説明するための図である。
【図１０】本発明の第１の変形例の車内騒音制御装置の低騒音処理を説明するためのフローチャートである。
【図１１】地図データに格納されている注意地点の車両走行を説明するための図である。
【図１２】本発明の第２の変形例の車内騒音制御装置の低騒音処理を説明するためのフローチャートである。
【図１３】車両の渋滞道路走行を説明するための図である。
【図１４】ＶＩＣＳ情報受信部を備えた車内騒音制御装置を説明するための図である。
【図１５】本発明の第３の変形例の車内騒音制御装置の低騒音処理を説明するためのフローチャートである。
【図１６】本発明の第４の変形例の車内騒音制御装置の低騒音処理を説明するためのフローチャートである。
【図１７】本発明の第５の変形例の車内騒音制御装置の低騒音処理を説明するためのフローチャートである。
【図１８】本発明の第６の変形例の車内騒音制御装置の低騒音処理を説明するためのフローチャートである。
【符号の説明】
【００５０】
１，１Ａ，１Ｂ  車内騒音制御装置
７  ナビゲーション装置
１１，７１  制御回路
１２，７２  ＲＯＭ
１３，７３  ＲＡＭ
１４，７４  現在地検出装置
１５  マイク
１６，７７  スピーカ
１７，７１０  ディスクドライブ
１８，７１１  ＤＶＤ−ＲＯＭ
１９，７９  ＶＩＣＳ情報受信部
２１  車両
２２  交差点
３１  道路のカーブ
９１  都市間高速道路
９２  一般道路
１０１  注意地点
１３１ａ〜１３１ｄ  渋滞を示す矢印
【図１】
2008184129.tif 000003
【図２】
2008184129.tif 000004
【図３】
2008184129.tif 000005
【図４】
2008184129.tif 000006
【図５】
2008184129.tif 000007
【図６】
2008184129.tif 000008
【図７】
2008184129.tif 000009
【図８】
2008184129.tif 000010
【図９】
2008184129.tif 000011
【図１０】
2008184129.tif 000012
【図１１】
2008184129.tif 000013
【図１２】
2008184129.tif 000014
【図１３】
2008184129.tif 000015
【図１４】
2008184129.tif 000016
【図１５】
2008184129.tif 000017
【図１６】
2008184129.tif 000018
【図１７】
2008184129.tif 000019
【図１８】
2008184129.tif 000020